(57)【特許請求の範囲】
【請求項１】
レーザ光を出射する光源と、
前記レーザ光により書き換え型光ディスクにデータの記録を行う光ピックアップと、
前記光源に電流を供給する電流供給手段と、
前記電流供給手段を動作させ前記光ピックアップの記録パワーを制御するレーザパワー制御手段と、
前記光ピックアップの記録パワーを決定すると制御手段と、を備え、
前記制御手段は、前記書き換え型光ディスクに対して最初に記録する際の記録パワーを前記書き換え型光ディスクに対して２回目以降に記録する際の記録パワーより小さくし、さらに、前記光ピックアップを移動させて前記書き換え型光ディスクの非ユーザデータ記録領域である試し書き領域、データ管理領域およびリードイン領域におけるデータまたは信号の有無を確認し、前記データまたは前記信号のいずれも前記各領域に無い場合には前記書き換え型光ディスクに対して最初の記録と判断し、前記データまたは前記信号の少なくとも１つがある場合には前記書き換え型光ディスクに対して２回目以降の記録と判断するとともに、前記非ユーザデータ記録領域のデータまたは信号の検出において、前記試し書き領域、前記データ領域、前記リードイン領域の順番に検出動作を行い、前記試し書き領域においてデータが存在すれば直ちに前記書き換え型光ディスクが２回目以降の記録と判断することを特徴とする光ディスク装置。
【請求項２】
光ピックアップの記録パワーを変化させ書き換え型光ディスクに記録する光ディスク記録方法であって、
前記書き換え型光ディスクに対して最初に記録する際の記録パワーを前記書き換え型光ディスクに対して２回目以降に記録する際の記録パワーより小さくするとともに、前記書き換え型光ディスクが最初に記録されるものであるか否かを判別するに際し、前記書き換え型光ディスクの非ユーザデータ記録領域である試し書き領域、データ管理領域およびリードイン領域におけるデータまたは信号の有無を確認し、前記データまたは前記信号のいずれも無い場合には前記書き換え型光ディスクに対して最初の記録と判断し、前記データまたは前記信号の少なくとも１つがある場合には前記書き換え型光ディスクに対して２回目以降の記録と判断し、
さらに、前記非ユーザデータ記録領域のデータまたは信号の検出において、前記試し書き領域、前記データ領域、前記リードイン領域の順番に検出動作を行い、前記試し書き領域においてデータが存在すれば直ちに前記書き換え型光ディスクが２回目以降の記録と判断することを特徴とする光ディスク記録方法。
【発明の詳細な説明】
【技術分野】
【０００１】
本発明は、光ピックアップにより光ディスクに対して情報の記録を行う光ディスク記録方法と光ディスク装置に関するものである。
【背景技術】
【０００２】
光ディスク装置は、各方面への応用と高性能化への開発が活発に行われている。特に最近では、書き換え型光ディスクの普及に伴い、書き換え型光ディスクに対する要求も多くなってきており、上書き記録品質に対する要求もその一つである。
【０００３】
ここで、従来の光ディスク装置の構成について、図を用いて説明する。
【０００４】
図７は、従来の光ディスク装置における光ピックアップ制御部のブロック図である。図７において、５０１はレーザダイオード、５０２は光ピックアップ、５０３は受光回路、５０４はフォトダイオード、５０５はモータドライバ回路、５０６はレーザドライバ回路、５０７はサーボ信号生成回路、５０８はアナログ信号生成回路、５０９は記録パターン生成回路、５１０はレーザパワー制御回路、５１１はＡ／Ｄコンバータ、５１２はコントローラ、５１３はＲＯＭ、５１４はＲＡＭ、５１５は格納部、２１は光ディスク、２２はスピンドルモータである。
【０００５】
以上のように構成された従来の技術における光ピックアップ制御部の動作について説明する。
【０００６】
レーザダイオード５０１は、光ディスク２１に対して記録または再生用のレーザを出射する。レーザダイオード５０１は、レーザダイオード５０１に電流を供給するレーザドライバ回路５０６により駆動され、レーザドライバ回路５０６は、レーザドライバ回路５０６の出力電流のタイミングとレーザパワーの発光パターンを制御する記録パターン生成回路５０９と、レーザドライバ回路５０６の出力電流を制御するための電圧を与えるレーザパワー制御回路５１０により制御される。記録パターン生成回路５０９とレーザパワー制御回路５１０は、それぞれコントローラ５１２と接続されており、光ピックアップ５０２を制御するための信号の送受信を行っている。
【０００７】
一方、レーザダイオード５０１から出射されたレーザ光は光ピックアップ５０２を通り、屈折、集光、回折され、光ディスク２１に到達する。光ディスク２１に到達したレーザ光は反射され、再度光ピックアップ５０２を通り、受光回路５０３に到達する。受光回路５０３では、光ディスク２１からの反射光を受光して電気信号に変換する。変換された電気信号はアナログ信号生成回路５０８に送られ、アナログ信号生成回路５０８では、ＲＦ信号などのアナログ信号が生成され、Ａ／Ｄコンバータ５１１とコントローラ５１２とサーボ信号生成回路５０７に送られる。Ａ／Ｄコンバータ５１１に送られたアナログ信号は、ここでアナログ信号の大きさが測定され、その情報がコントローラ５１２に送られ、コントローラ５１２ではＲＯＭ５１３の格納部５１５にあらかじめ格納されたＯＰＣ（Ｏｐｔｉｍｕｍ  Ｐｏｗｅｒ  Ｃｏｎｔｒｏｌ）パラメータのパラメータを利用して、最適記録パワーの決定を行う。また、サーボ信号生成回路５０７は、アナログ信号生成回路５０８から受け取った信号を基にモータドライバ回路５０５に対して適切な回転数で回転する制御信号を送る。モータドライバ回路５０５は制御信号を受け、スピンドルモータ２２を回転させるための電圧を発生させ、スピンドルモータ２２を回転させる。
【０００８】
レーザダイオード５０１から出射されたレーザ光の一部は、フォトダイオード５０４に受光され電気信号に変換され、レーザパワー制御回路５１０に送られ、レーザパワー制御回路５１０のフィードバックに用いられる。
【０００９】
次に、書き換え型光ディスクにおける最適記録パワーの決定方法について、光ディスクがＣＤ−ＲＷの場合を例にして説明する。
【００１０】
図８は、従来の光ディスク記録方法を示すフローチャートである。
【００１１】
光ディスク装置は、光ディスク２１が挿入されると、まずスピンドルモータ２２を回転させ、フォーカスサーボ、トラッキングサーボをかけ、光ディスク種類の判別を行う（Ｓ１０１）。次に、光ディスク２１へ記録するための最適記録パワーを求めるために、光ディスク２１にあらかじめ埋め込まれている製造者名、グレードなどのディスク情報を読み込む（Ｓ１０２）。そして、読み込んだ情報をもとにＯＰＣパラメータを選択し（Ｓ１０３）、ＯＰＣによる記録パワーの決定を行う（Ｓ１０４）。
【００１２】
ＯＰＣによる記録パワーの決定は、まず光ディスク２１に設けられた試し書き領域に試し書きが行われ、ある一定量の試し書きが終了した後に、その試し書き部分を再生することで行われる。試し書き部分を再生した時に光ディスク２１から戻ってくる反射光は、受光回路５０３によって受光され、電気信号に変換され、アナログ信号生成回路５０８、Ａ／Ｄコンバータ５１１を介してコントローラ５１２に送られる。コントローラ５１２では、決定された記録パワーを用いて使用者に要求されたデータの記録を行う（Ｓ１０５）。
【００１３】
先行例としては、（特許文献１）等がある。
【特許文献１】特開平９−１９８６６１号公報
【発明の開示】
【発明が解決しようとする課題】
【００１４】
書き換え型光ディスクにデータを記録する場合には、使用する書き換え型光ディスクの製造者、グレードを考慮してＯＰＣ動作が行われる。ＯＰＣ動作は、通常、使用する書き換え型光ディスクの製造者、グレードが同一の場合には、同一のＯＰＣパラメータを選択し、そのＯＰＣパラメータで試し書きを行う。そして、その試し書き部分を再生することにより最適記録パワーの決定が行われる。ここで、行われる試し書きは、使用する書き換え型光ディスクが同一の場合にはデータの記録回数に関わらず、最適記録パワーは同一となる。
【００１５】
しかしながら、既に使用されている書き換え型光ディスクに上書き記録をする場合、その書き換え型光ディスクの１回目の記録に用いた記録パワーと同じ記録パワー、もしくはそれ以下の記録パワーで上書き記録を行うと、１回目の記録を完全に書き換えすることができず、記録品質の悪化を招く。
【００１６】
以下、書き換え型光ディスク（以降、単に「光ディスク」と呼ぶ）に同じ長さの２つの記録マークを記録する場合について説明する。
【００１７】
図９は、従来の光ディスク記録方法における記録波形と光ディスク面上の記録マークの関係を示す図である。図９（ａ）は、使用する光ディスクのデータ記録回数が１回目のものを示したものであり、図９（ｂ）は、使用する光ディスクのデータ記録回数が２回目のものを示したものであり、図９（ｃ）は、使用する光ディスクのデータ記録回数が３回目のものを示したものである。図９（ａ）、図９（ｂ）、図９（ｃ）のそれぞれにおいて、上から光ディスクに記録を行う際の記録波形、その記録波形に基づく光ディスク面上の記録状態、その光ディスク面上の記録状態に基づくＲＦ信号、そのＲＦ信号に基づく２値化信号を示したものである。図１０は、従来の光ディスク記録方法における光ディスクの記録回数とエラーレートを示す図であり、横軸は記録回数、縦軸はエラーレートである。図１１は、従来の光ディスク記録方法における光ディスクの記録回数とジッタを示す図であり、横軸は記録回数、縦軸はジッタを示す図である。図９において、２０１は記録パルス、２０２は記録トラック、２１１，２１２，２２１，２２２，２３１，２３２は記録マークである。
【００１８】
図９（ａ）は光ディスク２１に対するデータの記録回数が１回目の場合、つまり未使用の光ディスク２１に対して最初に記録を行う場合を示したものである。この場合、記録トラック２０２に既に記録されている記録マークが存在しないため、既に記録されている記録マークの影響を受けることなく、同じ長さの記録マーク２１１，２１２を記録することができる。このようにして記録された記録マーク２１１，２１２を再生する場合のＲＦ信号、そのＲＦ信号に基づく２値化信号は、図９（ａ）に示すものとなり、再生する場合も同じ長さで再生することができる。
【００１９】
図９（ｂ）は、既に記録されている図９（ａ）に同じ記録長さである２つの記録マーク２２１，２２２を上書き記録する場合を示したものであり、記録マーク２２１を既に記録されている記録マーク２１１の途中から上書き記録する場合を示し、また記録マーク２２２を既に記録されている記録マーク２１２と同じ位置に上書き記録する場合を示している。記録マーク２２２は既に記録されている記録マーク２１２と同じ位置に上書き記録されるため、記録マーク２２２の記録は未使用の光ディスク２１に対して最初に記録を行う場合と等価となる。
【００２０】
また、記録マーク２２１は既に記録されている記録マーク２１１の途中から上書き記録されるため、既に記録されている記録マーク２１１を消去しながら、新たに記録マーク２２１を記録する必要がある。そのため、このようにして記録された記録マーク２２１，２２２を再生する場合のＲＦ信号、そのＲＦ信号に基づく２値化信号は、図９（ｂ）に示すものとなり、既に記録されている記録マーク２１１の途中から上書き記録する記録マーク２２１と、既に記録されている記録マーク２１２と同じ位置に上書き記録する記録マーク２２２を同じ長さで再生することができなくなる。
【００２１】
図９（ｃ）は、既に記録されている図９（ｂ）に同じ記録長さである２つの記録マーク２３１，２３２を上書き記録する場合を示したものであり、記録マーク２３１，２３２とも既に記録されている記録マーク２２１，２２２の途中から上書き記録する場合を示している。記録マーク２３１，２３２は、それぞれ既に記録されている記録マーク２２１，２２２の途中から上書き記録されるため、既に記録されている記録マーク２２１，２２２を消去しながら、新たに記録マーク２３１，２３２を記録する必要がある。この場合、このようにして記録された記録マーク２３１，２３２を再生する場合のＲＦ信号、そのＲＦ信号に基づく２値化信号は、図９（ｃ）に示すものとなり、記録マーク２３１，２３２を同じ長さで再生することができる。
【００２２】
図９（ｂ）に示すように、同じ長さの記録マーク２２１，２２２を記録したにもかかわらず、再生時には同じ長さの記録マーク２２１，２２２として再生できない場合には図１０や図１１に示すように、使用する光ディスク２１のデータの記録回数が２回目にピークを持つような記録品質の悪化を招く。このようになる要因として、使用する光ディスク２１のデータの記録回数が２回目の場合、既に記録されている記録マークの上に記録マークを上書き記録する場合と未記録部分に記録マークを記録する場合の確率が５０％ずつであり、ＲＦ信号に基づく２値化信号のデータ長のばらつきが大きくなるためである。
【００２３】
これがいわゆるジッタの悪化であり、記録品質の指標であるエラーレートの悪化の原因となる。使用する光ディスク２１のデータ記録回数が３回目以降になると、使用する光ディスクの記録トラックにおける未記録部分が減っていくため、記録マーク長のばらつきは減り記録品質も安定してくる。
【００２４】
本発明は、このような従来の課題を解決するものであり、書き換え型光ディスクの上書き記録品質の向上を図ることでき、記録に失敗する確率を低減することが可能な光ディスク記録方法と光ディスク装置を提供することを目的とする。
【課題を解決するための手段】
【００２５】
本発明は、上記課題を解決するためになされたものであって、光ディスクにデータを記録する記録パワーが、使用する書き換え型光ディスクのデータ記録回数に応じて切り替わることを特徴とする光ディスク記録方法である。
【００２６】
また、光ディスクにデータの記録を行う光ピックアップと、光ピックアップの記録パワーを制御する記録パワー制御手段と、記録パワーを決定して記録パワー制御手段を制御する制御部を備え、制御部が、光ディスクにデータを記録する記録パワーを、使用する書き換え型光ディスクのデータ記録回数に応じて切り替えることを特徴とする光ディスク装置である。
【発明の効果】
【００２７】
本発明は上記構成により、書き換え型光ディスクに対して最初に記録する際の記録パワーを書き換え型光ディスクに対して２回目以降に記録する際の記録パワーより小さくするので、書き換え型光ディスクの記録状況に応じて最適な記録パワーを設定することができる。
【００２８】
そのため、書き換え型光ディスクの上書き記録品質の向上を図ることができ、記録に失敗する確率を低減することが可能な光ディスク記録方法と光ディスク装置を実現することができる。
【発明を実施するための最良の形態】
【００２９】
請求項１記載の発明は、レーザ光を出射する光源と、前記レーザ光により書き換え型光ディスクにデータの記録を行う光ピックアップと、前記光源に電流を供給する電流供給手段と、前記電流供給手段を動作させ前記光ピックアップの記録パワーを制御するレーザパワー制御手段と、前記光ピックアップの記録パワーを決定すると制御手段と、を備え、前記制御手段は、前記書き換え型光ディスクに対して最初に記録する際の記録パワーを前記書き換え型光ディスクに対して２回目以降に記録する際の記録パワーより小さくし、さらに、前記光ピックアップを移動させて前記書き換え型光ディスクの非ユーザデータ記録領域である試し書き領域、データ管理領域およびリードイン領域におけるデータまたは信号の有無を確認し、前記データまたは前記信号のいずれも前記各領域に無い場合には前記書き換え型光ディスクに対して最初の記録と判断し、前記データまたは前記信号の少なくとも１つがある場合には前記書き換え型光ディスクに対して２回目以降の記録と判断するとともに、前記非ユーザデータ記録領域のデータまたは信号の検出において、前記試し書き領域、前記データ領域、前記リードイン領域の順番に検出動作を行い、前記試し書き領域においてデータが存在すれば直ちに前記書き換え型光ディスクが２回目以降の記録と判断するようにしたものである。これにより、書き換え型光ディスクの記録状況に応じて最適な記録パワーを設定することができる。そのため、書き換え型光ディスクの上書き記録品質の向上を図ることができ、記録に失敗する確率を低減することが可能な光ディスク装置を実現することができる。また、書き換え型光ディスクの書き換え許容回数の中で最も記録品質が低下するデータ記録回数２回目の記録品質を向上させることができる。さらに、書き換え型光ディスク内にデータ記録回数を示す新たな情報を記録することなく、使用する書き換え型光ディスクの記録状況が、未使用であるか既に使用されているかを把握することができる。
【００３３】
請求項２記載の発明は、光ピックアップの記録パワーを変化させ書き換え型光ディスクに記録する光ディスク記録方法であって、前記書き換え型光ディスクに対して最初に記録する際の記録パワーを前記書き換え型光ディスクに対して２回目以降に記録する際の記録パワーより小さくするとともに、前記書き換え型光ディスクが最初に記録されるものであるか否かを判別するに際し、前記書き換え型光ディスクの非ユーザデータ記録領域である試し書き領域、データ管理領域およびリードイン領域におけるデータまたは信号の有無を確認し、前記データまたは前記信号のいずれも無い場合には前記書き換え型光ディスクに対して最初の記録と判断し、前記データまたは前記信号の少なくとも１つがある場合には前記書き換え型光ディスクに対して２回目以降の記録と判断し、さらに、前記非ユーザデータ記録領域のデータまたは信号の検出において、前記試し書き領域、前記データ領域、前記リードイン領域の順番に検出動作を行い、前記試し書き領域においてデータが存在すれば直ちに前記書き換え型光ディスクが２回目以降の記録と判断するものである。これにより、書き換え型光ディスクの記録状況に応じて最適な記録パワーを設定することができる。そのため、書き換え型光ディスクの上書き記録品質の向上を図ることができ、記録に失敗する確率を低減することが可能な光ディスク記録方法を実現することができる。また、書き換え型光ディスクの書き換え許容回数の中で最も記録品質が低下するデータ記録回数２回目の記録品質を向上させることができる。
【００３７】
（実施の形態１）
以下、本発明の一実施の形態について、図面を参照しながら説明する。
【００３８】
図１は、本発明の一実施の形態における光ディスク装置の光ピックアップ制御部のブロック図である。図１において、１はレーザダイオード、２は光ピックアップ、３は受光手段、４はフォトダイオード、５はモータドライバ手段、６はレーザドライバ手段、７はサーボ信号生成手段、８はアナログ信号生成手段、９は記録パターン生成手段、１０はレーザパワー制御手段、１１はＡ／Ｄコンバータ、１２はコントローラ、１３はＲＯＭ、１４はＲＡＭ、１５，１６は格納部、２１は光ディスク、２２はスピンドルモータである。
【００３９】
以上のように構成された光ピックアップ制御部の動作について説明する。
【００４０】
レーザダイオード１は光ディスク２１に対して記録または再生用のレーザを出射する。レーザダイオード１は、レーザダイオード１に電流を供給するレーザドライバ手段６により駆動され、レーザドライバ手段６は、レーザドライバ手段６の出力電流のタイミングとレーザパワーの発光パターンを制御する記録パターン生成手段９と、レーザドライバ手段６の出力電流を制御するための電圧を与えるレーザパワー制御手段１０により制御される。記録パターン生成手段９とレーザパワー制御手段１０はそれぞれコントローラ１２と接続されており、光ピックアップ２を制御するための信号の送受信を行っている。
【００４１】
一方、レーザダイオード１から出射されたレーザ光は光ピックアップ２を通り、屈折、集光、回折され、光ディスク２１に到達する。光ディスク２１に到達したレーザ光は反射され、再度光ピックアップ２を通り、受光手段３に到達する。受光手段３では、光ディスク２１からの反射光を受光して電気信号に変換する。変換された電気信号はアナログ信号生成手段８に送られ、アナログ信号生成手段８では、ＲＦ信号などのアナログ信号が生成され、Ａ／Ｄコンバータ１１とコントローラ１２とサーボ信号生成手段７に送られる。Ａ／Ｄコンバータ１１に送られたアナログ信号は、ここでアナログ信号の大きさが測定され、その情報がコントローラ１２に送られ、コントローラ１２ではＲＯＭ１３の格納部１５にあらかじめ格納されたＯＰＣ（Ｏｐｔｉｍｕｍ  Ｐｏｗｅｒ  Ｃｏｎｔｒｏｌ）パラメータを利用して、最適記録パワーの決定を行う。
【００４２】
また、サーボ信号生成手段７は、アナログ信号生成手段８から受け取った信号を基にモータドライバ手段５に対して所望の回転数で回転する制御信号を送る。モータドライバ手段５は制御信号を受け、スピンドルモータ２２を回転させるための電圧を発生させ、スピンドルモータ２２を回転させる。
【００４３】
レーザダイオード１から出射されたレーザ光の一部は、フォトダイオード４に受光され電気信号に変換されてレーザパワー制御手段１０に送られ、レーザパワー制御手段１０のフィードバックに用いられる。
【００４４】
ここで、コントローラ１２は本発明の制御部を構成し、コントローラ１２は少なくとも演算処理装置を備え、モータドライバ手段５、レーザドライバ手段６、サーボ信号生成手段７、アナログ信号生成手段８、記録パターン生成手段９、レーザパワー制御手段１０、Ａ／Ｄコンバータ１１、ＲＯＭ１３、ＲＡＭ１４の各部から送られる信号が入力され、これらの信号の演算処理等を行い、この演算処理の結果（信号）を各部に送出し、各部にて駆動、処理を実行させ、各部の制御を行うものである。
【００４５】
次に、書き換え型光ディスク（以降、単に「光ディスク」と呼ぶ）のデータ領域構成の一例として、ＣＤ−ＲＷの場合について説明する。
【００４６】
図２は、ＣＤ−ＲＷディスクのデータ記録領域構成を示す図である。図２において、３０１は中心孔、３０２は非ユーザデータ記録領域、３０２ａは試し書き領域（ＰＣＡ領域）、３０２ｂはデータ管理領域（ＰＭＡ領域）、３０２ｃはリードイン領域（ＬｅａｄＩｎ領域）、３０３はユーザデータ記録領域である。
【００４７】
光ディスク２１は、ディスク中心に設けられた中心孔２１から半径方向外周側に向かって非ユーザデータ記録領域３０２、ユーザデータ記録領域３０３の順に配置されている。非ユーザデータ記録領域３０２には、試し書き領域３０２ａ、データ管理領域３０２ｂ、リードイン領域３０２ｃがある。試し書き領域３０２ａでは光ディスク２１面上へ記録するための最適記録パワーを求めるためのＯＰＣ動作などに用いる試し書きが行われ、データ管理領域３０２ｂでは仮のディスク管理情報が追記可能な状態で書き込まれ、リードイン領域３０２ｃではＴＯＣ（Ｔａｂｌｅ  Ｏｆ  Ｃｏｎｔｅｎｔｓ）など最終的なディスク情報が書き込まれる。また、ユーザ使用領域３０３は、使用者の指示により書き込みが行われる領域である。
【００４８】
試し書き領域３０２ａは、記録を行う際の最適記録パワーを求めるためのＯＰＣ動作などが行われる領域であるため、未使用の光ディスク２１の場合には、何も記録されていない状態である。同様に、データ管理領域３０２ｂは仮のディスク管理情報の書き込みが行われる領域であるため、未使用の光ディスク２１の場合には、何も記録されていない状態である。また同様に、リードイン領域３０２ｃは最終的なディスク情報が書き込まれる領域であるため、未使用の光ディスク２１の場合には、何も記録されていない状態である。
【００４９】
試し書き領域３０２ａ、データ管理領域３０２ｂ、リードイン領域３０２ｃの全てに何も記録されていなければ、その光ディスク２１は未使用の状態である。一方、試し書き領域３０２ａまたはデータ管理領域３０２ｂまたはリードイン領域３０２ｃのいずれかに何か記録されていれば、その光ディスク２１は既に使用されている状態である。
【００５０】
このように、試し書き領域３０２ａ、データ管理領域３０２ｂ、リードイン領域３０２ｃに何らかの情報が記録されているか否かを調べることにより、光ディスク２１が未使用であるか、あるいは既に使用されているかを判別することができる。光ディスク２１が未使用の場合には、使用する光ディスク２１のデータ記録回数が１回目の記録となり、既に使用されている場合には、使用する光ディスク２１のデータ記録回数が２回目以降の記録となる。
【００５１】
次に、本発明における書き換え型光ディスク（以降、単に「光ディスク」と呼ぶ）記録方法の一例として、ＣＤ−ＲＷの場合について説明する。
【００５２】
図３は、本発明の一実施の形態における光ディスク記録方法を示すフローチャートである。
【００５３】
光ディスク装置に光ディスク２１が装着されると、コントローラ１２はサーボ信号生成手段７にスピンドルモータ２２を回転させる指令を出し、サーボ信号生成手段７はモータドライバ手段５に対し所望の回転数で回転する制御信号を送る。モータドライバ手段５はその制御信号を受けて、スピンドルモータ２２を回転させるための電圧を発生させ、スピンドルモータ２２を回転させる。
【００５４】
次に、コントローラ１２は、レーザパワー制御手段１０に再生パワーで発光するよう指令を送る。レーザパワー制御手段１０は再生パワーの設定を行い、レーザドライバ手段６に電圧を与える。レーザドライバ手段６は与えられた電圧に応じた電流を発生させ、レーザダイオード１を発光させる。レーザダイオード１から出射された光の一部はフォトダイオード４に受光され、フォトダイオード４は光量に応じた電圧を発生させる。フォトダイオード４で発生した電圧は、レーザパワー制御手段１０に入力され、レーザパワー制御手段１０はその電圧を測定することでレーザパワー制御手段１０が設定したパワーであるかを検知し、必要に応じてレーザドライバ手段６に与える電圧を制御する。
【００５５】
その後、コントローラ１２は、サーボ信号生成手段７にフォーカスをかけるように指示する。サーボ信号生成手段７はモータドライバ手段５に対して光ピックアップ２にあるレンズを上下させるための信号を送る。モータドライバ手段５は送られてきた信号を基に電圧を発生させ、光ピックアップ２内のレンズを上下させる。受光手段３は光ディスク２１からの反射光を受光し、電圧を発生させる。アナログ信号生成手段８は受光手段３で発生した電圧からフォーカス信号を生成し、サーボ信号生成手段７に入力する。光ピックアップ２のレンズの上下に応じてフォーカス信号は変化するので、最適なレンズ位置になるフォーカス信号になった時、サーボ信号生成手段７は光ピックアップ２内のレンズを最適位置で止めるため、モータドライバ手段５に信号を送りフォーカスオン状態にする。そして、サーボ信号生成手段７はアナログ信号生成手段８で作られるフォーカス信号を元に常に最適なレンズ位置になるようにモータドライバ手段５に与える信号を制御する。
【００５６】
アナログ信号生成手段８で生成されるトラッキングエラー信号等のサーボ信号はＡ／Ｄコンバータ１１に入力され、そこで信号の電圧が測定される。そして、測定された電圧からコントローラ１２が光ディスク２１の種類、例えばＤＶＤ、ＣＤ、ＣＤ−ＲＷ等を判別する（Ｓ１）。
【００５７】
次に、光ディスク２１へ記録するための最適記録パワーを求めるために、コントローラ１２は光ディスク２１にあらかじめ埋め込まれている製造者名、グレードなどのディスク情報を読み込み、その情報を基にＲＯＭ１３の格納部１５に格納されたＯＰＣパラメータを取り出し、サーボ信号生成手段７、記録パターン生成手段９、レーザパワー制御手段１０に対してＯＰＣパラメータの設定を行う（Ｓ２）。例えば、光ディスク装置に装着された光ディスク２１がＣＤ−ＲＷであった場合、コントローラ１２は、製造者名、グレードを加味したＣＤ−ＲＷ用の各種パラメータをＲＯＭ１３から読み込み、その情報を基にＲＯＭ１３の格納部１５に格納されたＯＰＣパラメータを取り出し、サーボ信号生成手段７、記録パターン生成手段９、レーザパワー制御手段１０に対してＯＰＣパラメータの設定を行う。
【００５８】
次に、非ユーザデータ記録領域３０２の情報有無の確認を行う。非ユーザデータ記録領域３０２の情報有無の確認は、コントローラ１２が光ピックアップ２を試し書き領域３０２ａ、データ管理領域３０２ｂ、リードイン領域３０２ｃのそれぞれの領域に移動させ、それぞれの領域の情報を読み込むことで行われる。
【００５９】
試し書き領域３０２ａでは、ＯＰＣ開始アドレス情報の有無を判断する（Ｓ３）。ここで、ＯＰＣ開始アドレス情報がある場合には、データ管理領域３０２ｂ、リードイン領域３０２ｃでのＲＦ信号有無の確認を省略し、ステップ７（Ｓ７）へ進む。また、ＯＰＣ開始アドレス情報が無い場合には、引続きデータ管理領域３０２ｂ、リードイン領域３０２ｃでのＲＦ信号有無の確認を行う。
【００６０】
データ管理領域３０２ｂでは、アナログ信号生成手段８により生成されるＲＦ信号の振幅をＡ／Ｄコンバータ１１で測定してＲＦ信号の有無を判断する（Ｓ４）。ここで、ＲＦ信号がある場合には、リードイン領域３０２ｃでのディスク情報確認を省略し、ステップ７（Ｓ７）へ進む。また、ＲＦ信号が無い場合には、引続きリードイン領域３０２ｃでのＲＦ信号有無の確認を行う。
【００６１】
リードイン領域３０２ｃでは、アナログ信号生成手段８により生成されるＲＦ信号の振幅をＡ／Ｄコンバータ１１で測定してＲＦ信号の有無を判断する（Ｓ５）。ここで、ＲＦ信号がある場合には、ステップ７（Ｓ７）へ進む。また、ＲＦ信号が無い場合には、コントローラ１２はイニシャルライトフラグを立てる（Ｓ６）。
【００６２】
次に、設定されたＯＰＣパラメータを用いてＯＰＣ動作を行い、記録パワーの決定を行う（Ｓ７）。
【００６３】
ＯＰＣ動作による記録パワーの決定は、記録プロセス、再生プロセス、決定プロセスの３つのプロセスで構成される。
【００６４】
記録プロセスでは、コントローラ１２が取得したＯＰＣパラメータに従い、レーザパワー制御手段１０に記録パワーを設定する。レーザパワー制御手段１０は設定された記録パワーに従い、レーザドライバ手段６に電圧を与え、レーザダイオード１を発光させる。記録動作は、試し書き領域３０２ａの未記録領域で行われ、１セクタ記録を行う毎にＯＰＣパラメータで決められた値の分だけ記録パワーを変化させ、これを所定の回数だけ繰り返す。例えば、所定の回数が１０回であれば、１０セクタに対してそれぞれ１０段階変化させた記録パワーで記録される。
【００６５】
再生プロセスでは、コントローラ１２が試し書きされたセクタに光ピックアップ２を移動させ、その試し書きされた部分を再生する。再生時にアナログ信号生成手段８で作られるＲＦ信号の電圧、例えば最大値、最小値をＡ／Ｄコンバータ１１で測定する。異なる記録パワーで記録された所定の回数分のＲＦ信号電圧値をＲＡＭ１４に格納する。
【００６６】
決定プロセスでは、コントローラ１２が再生プロセスの時にＲＡＭ１４に格納したＲＦ信号電圧値を基に、最適記録パワーを決定する。
【００６７】
次に、コントローラ１２はイニシャルライトフラグの有無の確認を行う（Ｓ８）。
【００６８】
ここで、イニシャルライトフラグが無い場合、つまり試し書き領域３０２ａに情報があるか、あるいはデータ管理領域３０２ｂにＲＦ信号があるか、あるいはリードイン領域３０２ｃにＲＦ信号があるかのいずれかの場合には、少なくとも１回は使用されている光ディスク２１と判定する。この場合、コントローラ１２は、ステップ７（Ｓ７）で決定した最適記録パワーをそのまま用いて、記録動作を行う（Ｓ１０）。
【００６９】
また、イニシャルライトフラグがある場合、つまり試し書き領域３０２ａがブランク状態で、かつデータ管理領域３０２ｂにＲＦ信号が無く、かつリードイン領域３０２ｃにＲＦ信号が無い場合には、未使用の光ディスク２１と判定する。この場合、コントローラ１２は、ステップ７（Ｓ７）で決定した最適記録パワーに定倍率を掛けて（Ｓ９）算出した値を真の最適記録パワーとして、記録動作を行う（Ｓ１０）。
【００７０】
このように、使用する光ディスク２１が未使用であるか、あるいは既に使用されているかの判断を、使用する光ディスク２１の非ユーザデータ記録領域３０２に記録された情報を基に行うことによって、光ディスク２１内にデータ記録回数を示す新たな情報を記録することなく、使用する光ディスク２１の記録状況が未使用であるか既に使用されているかを把握することができる。
【００７１】
ステップ９（Ｓ９）で用いられる定倍率の値はＲＯＭ１３の格納部１６に格納されており、その値は１より小さいものである。このようにすることで、使用する光ディスクが未使用の場合の記録パワーを、既に使用されている場合の記録パワーより小さくすることができる。また、用いられる定倍率の値は、０．８５〜０．９５であることが好ましい。このようにすることで、使用する光ディスク２１が未使用の場合の記録パワーを、使用する光ディスク２１が既に使用されている場合の記録パワーに対して８５〜９５％にすることができ、使用する光ディスク２１のデータ記録回数が２回目の記録品質を効率良く向上させることができる。
【００７２】
なお、本実施の形態においては、ステップ９（Ｓ９）で用いられる定倍率の値は１つとして説明したが、これに限定されるものではない。ステップ９（Ｓ９）で用いられる定倍率の値は、光ディスク装置内の動作温度などを考慮して複数種類あっても良い。また、本実施の形態の場合、ＯＰＣパラメータはＲＯＭ１３の格納部１５に格納され、定倍率の値はＲＯＭ１３の格納部１６に格納されているものとしたが、これに限定されるものではない。
【００７３】
次に、未使用の書き換え型光ディスク（以降、単に「光ディスク」と呼ぶ）に同じ長さの２つの記録マークを記録する場合について説明する。
【００７４】
図４は、本発明の一実施の形態における光ディスク記録方法の記録波形と光ディスク面上の記録マークの関係を示す図である。図４（ａ）は、使用する光ディスクのデータ記録回数が１回目のものを示したものであり、図４（ｂ）は、使用する光ディスクのデータ記録回数が２回目のものを示したものであり、図４（ｃ）は、使用する光ディスクのデータ記録回数が３回目のものを示したものである。図４（ａ）、図４（ｂ）、図４（ｃ）のそれぞれにおいて、上から光ディスクに記録を行う際の記録波形、その記録波形に基づく光ディスク面上の記録状態、その光ディスク面上の記録状態に基づくＲＦ信号、そのＲＦ信号に基づく２値化信号を示したものである。図４において、１０１，２０１は記録パルス、２０２は記録トラック、１１１，１１２，２２１，２２２，２３１，２３２は記録マークである。
【００７５】
図４（ａ）は使用する光ディスク２１のデータの記録回数が１回目の場合、つまり未使用の光ディスク２１に対して最初に記録を行う場合を示したものである。未使用の光ディスク２１に対して最初に記録マークの記録を行う場合には、記録パワー１１１，１１２を記録する記録パワーを、後に記録される記録マーク２２１，２２２，２３１，２３２を記録する記録パワーと異なるものとして、さらに記録パワー１１１，１１２を記録する記録パワーを、後に記録される記録マーク２２１，２２２，２３１，２３２を記録する記録パワーより小さいものとした。このようにすることで、使用する光ディスク２１が、未使用の場合と既に使用されている場合の、それぞれ場合に応じて最適な記録条件を設定することができ、書き換え型光ディスクの書き換え許容回数の中で最も記録品質が低下するデータ記録回数２回目の記録品質を向上させることができる。
【００７６】
さらに、記録マーク１１１，１１２を記録する記録パワーは、後に記録される記録マーク２２１，２２２，２３１，２３２を記録する記録パワーの８５〜９５％であることが好ましい。このようにすることで、使用する光ディスク２１のデータ記録回数が２回目の記録品質を効率良く向上させることができる。本実施の形態においては、後に記録される記録マーク２２１，２２２，２３１，２３２を記録する記録パワーを４０ｍＷ程度とした場合、記録マーク１１１，１１２を記録する記録パワーを３５ｍＷ程度とした。
【００７７】
使用する光ディスク２１のデータ記録回数が１回目の場合、記録トラック２０２に記録されている記録マークが存在しないため、既に記録されている記録マークの影響を受けることがない。そのため、記録マーク１１１，１１２を記録する記録パワーは、最適記録パワーの決定時に算出された値の８５〜９５％になっても良い。
【００７８】
このようにして記録された記録マーク１１１，１１２を再生する場合のＲＦ信号、そのＲＦ信号に基づく２値化信号は、図４（ａ）に示すものとなり、記録マーク１１１，１１２を記録する時と同様に再生する場合も同じ長さで再生することができる。
【００７９】
図４（ｂ）は、既に記録されている図４（ａ）に同じ記録長さである２つの記録マーク１１１，１１２を上書き記録する場合を示したものであり、記録マーク２２１を既に記録されている記録マーク１１１の途中から記録する場合を示し、記録マーク２２２を既に記録されている記録マーク１１２と同じ位置に記録する場合を示している。記録マーク２２２は既に記録されている記録マーク１１２と同じ位置に記録されるため、記録マーク２２２の記録は未使用の光ディスク２１に対して最初に記録を行う場合と等価となる。また、記録マーク２２１は既に記録されている記録マーク１１１の途中から記録されるため、既に記録されている記録マーク１１１を消去しながら、新たに記録マーク２２１を記録する必要がある。
【００８０】
記録マーク２２１が既に記録されている記録マーク１１１の途中から記録される場合には、記録パワー１１１，１１２を記録する記録パワーを、後に記録される記録マーク２２１，２２２，２３１，２３２を記録する記録パワーと異なるものとして、さらに記録パワー１１１，１１２を記録する記録パワーを、後に記録される記録マーク２２１，２２２，２３１，２３２を記録する記録パワーより小さいものとしていることにより、使用する光ディスク２１のデータ記録回数が１回目と２回目以降とを同じ記録パワーで記録する従来の場合と比較して、記録マーク１１１の消去をより理想に近い状態にすることができる。
【００８１】
これは、記録マーク２２１，２２２，２３１，２３２を記録するための記録パワーが、既に記録されている記録マーク１１１，１１２を記録した記録パワーより大きいため、記録マーク１１１を形成する記録面の状態を容易に変化させることができ、記録マーク１１１の消去をより確実に行うことができるためである。
【００８２】
このようにして記録された記録マーク２２１，２２２を再生する場合のＲＦ信号、そのＲＦ信号に基づく２値化信号は図４（ｂ）に示すものとなる。既に記録されている記録マーク１１１の途中から記録する記録マーク２２１と、既に記録されている記録マーク１１２と同じ位置に記録する記録マーク２２２は、図９（ｂ）に示す従来の場合と比較して、再生した場合のオフセット量が小さくなり、２つの２値化データの差も小さくなる。
【００８３】
図４（ｃ）は、既に記録されている図４（ｂ）に同じ記録長さを持つ２つの記録マーク２３１，２３２を上書き記録する場合を示したものであり、記録マーク２３１，２３２とも既に記録されている記録マーク２２１，２２２の途中から記録する場合を示している。記録マーク２３１，２３２は、それぞれ既に記録されている記録マーク２２１，２２２の途中から記録されるため、既に記録されている記録マーク２２１，２２２を消去しながら、新たに記録マーク２３１，２３２を記録する必要がある。この場合、このようにして記録された記録マーク２３１，２３２を再生する場合のＲＦ信号、そのＲＦ信号に基づく２値化信号は、図９（ｃ）に示すものとなり、ほとんどの場合で記録マーク２３１，２３２を同じ長さで再生することができる。
【００８４】
これは、使用する光ディスク２１のデータ記録回数が３回目以降では、光ディスク２１の記録面における未使用部分が減っていくため、使用する光ディスク２１のデータ記録回数が１回目、２回目の時に記録された記録マークの影響を受けにくいことによるものである。
【００８５】
なお、本実施の形態においては、記録マーク１１１，１１２を記録する記録パワーを、後に記録される記録マーク２２１，２２２，２３１，２３２を記録する記録パワーの８５〜９５％であることとしたが、これに限定されるものではない。使用する光ディスク２１のデータ記録回数が２回目の記録品質を効率良く向上させることを考慮すれば、記録マーク１１１，１１２を記録する記録パワーを、後に記録される記録マーク２２１，２２２，２３１，２３２を記録する記録パワーの８５〜９５％にすることが好ましい。
【００８６】
次に、本発明の一実施の形態における記録品質について説明する。
【００８７】
図５は、本発明の一実施の形態における光ディスク記録方法のデータ記録回数とエラーレートを示す図であり、横軸は記録回数、縦軸はエラーレートである。図６は、従来の光ディスク記録方法における記録回数とジッタを示す図であり、横軸は記録回数、縦軸はジッタを示す図である。
【００８８】
図９（ｂ）に示すように、同一長さの記録マーク２２１，２２２を記録したにもかかわらず、再生時には同一長さの記録マーク２２１，２２２として再生できない場合には、図１０や図１１に示すように、使用する光ディスク２１のデータ記録回数が２回目にピークを持つような記録品質の悪化を招く。例えば、エラーレートにおいては、使用する光ディスク２１のデータ記録回数が２回目の場合、５０ｃｐｓ（個／秒）程度となり、ジッタにおいては、使用する光ディスク２１のデータ記録回数が２回目の場合、３７ｎｓ（ナノ秒）程度である。
【００８９】
ところが、本実施の形態においては、上述の方法を用いることにより、図５に示すエラーレートでは、使用する光ディスク２１のデータ記録回数が２回目の場合、２０ｃｐｓ程度にすることができる。また、図６に示すジッタでは、使用する光ディスク２１のデータ記録回数が２回目の場合、３０ｎｓ程度にすることができる。
【００９０】
以上の内容により、光ディスク２１にデータを記録する記録パワーが、使用する書き換え型光ディスク２１のデータ記録回数に応じて切り替わることによって、書き換え型光ディスク２１の記録状況に応じて最適な記録パワーを設定することができる。
【００９１】
そのため、書き換え型光ディスク２１の上書き記録品質の向上を図ることができ、記録に失敗する確率を低減することが可能な光ディスク記録方法と光ディスク装置を実現することができる。
【００９２】
なお、データを記録する記録パワーを切り替わるもとになる、使用する書き換え型光ディスク２１のデータ記録回数は０を含むものとする。
【００９３】
また、ＯＰＣ動作の際、試し書き領域３０２ａに識別子を付加することによって、使用する書き換え型光ディスク２１のデータ記録回数を把握することが可能となり、記録回数による記録パワーの変更ができる。
【産業上の利用可能性】
【００９４】
本発明は、書き換え型光ディスクの上書き記録品質の向上を図ることができ、記録に失敗する確率を低減することが可能なため、光ピックアップにより光ディスクに対してデータの記録を行う光ディスク記録方法と光ディスク装置などに適応可能である。
【図面の簡単な説明】
【００９５】
【図１】本発明の一実施の形態における光ディスク装置の光ピックアップ制御部のブロック図
【図２】ＣＤ−ＲＷディスクのデータ記録領域構成を示す図
【図３】本発明の一実施の形態における光ディスク記録方法を示すフローチャート
【図４】本発明の一実施の形態における光ディスク記録方法の記録波形と光ディスク面上の記録マークの関係を示す図
【図５】本発明の一実施の形態における光ディスク記録方法のデータ記録回数とエラーレートを示す図
【図６】従来の光ディスク記録方法における記録回数とジッタを示す図
【図７】従来の光ディスク装置における光ピックアップ制御部のブロック図
【図８】従来の光ディスク記録方法を示すフローチャート
【図９】従来の光ディスク記録方法における記録波形と光ディスク面上の記録マークの関係を示す図
【図１０】従来の光ディスク記録方法における光ディスクの記録回数とエラーレートを示す図
【図１１】従来の光ディスク記録方法における光ディスクの記録回数とジッタを示す図
【符号の説明】
【００９６】
１    レーザダイオード
２    光ピックアップ
３    受光手段
４    フォトダイオード
５    モータドライバ手段
６    レーザドライバ手段
７    サーボ信号生成手段
８    アナログ信号生成手段
９    記録パターン生成手段
１０    レーザパワー制御手段
１１    Ａ／Ｄコンバータ
１２    コントローラ
１３    ＲＯＭ
１４    ＲＡＭ
１５、１６    格納部
２１    光ディスク
２２    スピンドルモータ
１０１    記録パルス
１１１、１１２    記録マーク
２０１    記録パルス
２０２    記録トラック
２１１、２１２    記録マーク
２２１、２２２    記録マーク
２３１、２３２    記録マーク
３０１    中心孔
３０２    非ユーザデータ記録領域
３０２ａ    試し書き領域（ＰＣＡ領域）
３０２ｂ    データ管理領域（ＰＭＡ領域）
３０２ｃ    リードイン領域（ＬｅａｄＩｎ領域）
３０３    ユーザデータ記録領域
５０１    レーザダイオード
５０２    光ピックアップ
５０３    受光手段
５０４    フォトダイオード
５０５    モータドライバ手段
５０６    レーザドライバ手段
５０７    サーボ信号生成手段
５０８    アナログ信号生成手段
５０９    記録パターン生成手段
５１０    レーザパワー制御手段
５１１    Ａ／Ｄコンバータ
５１２    コントローラ
５１３    ＲＯＭ
５１４    ＲＡＭ
５１５    格納部
【図１】
0004458014.tif 000002
【図２】
0004458014.tif 000003
【図３】
0004458014.tif 000004
【図４】
0004458014.tif 000005
【図５】
0004458014.tif 000006
【図６】
0004458014.tif 000007
【図７】
0004458014.tif 000008
【図８】
0004458014.tif 000009
【図９】
0004458014.tif 000010
【図１０】
0004458014.tif 000011
【図１１】
0004458014.tif 000012